(57)【特許請求の範囲】
【請求項１】
ディスクを積み重ねて載置するための台座と、台座上に積み重ねられたディスクを覆う筒状蓋とを備え、
台座には複数の係合用溝部が設けられ、筒状蓋には前記係合用溝部に係合可能な複数の突部が係合用溝部に対応して設けられており、
筒状蓋の突部箇所を弾性変形させながら各突部を台座の各係合用溝部に係合させることによって筒状蓋の台座への装着を可能としたディスクパッケージにおいて、
台座に対して周方向右回し及び左回しのいずれの向きに回転させても台座に装着されている筒状蓋を台座から分離することができるように、台座および筒状蓋を形成したことを特徴とするディスクパッケージ。
【請求項２】
台座には、係合用溝部に係合した突部を係合用溝部から抜き出すための抜き出し用溝部が各係合用溝部と連続して設けられている、
ことを特徴とする請求項１に記載のディスクパッケージ。
【請求項３】
ディスクを積み重ねて載置するための台座と、台座上に積み重ねられたディスクを覆う筒状蓋とを備え、
台座には突部を有する複数の弾性片が設けられ、筒状蓋には前記弾性片の突部に係合可能な係合用環状溝部が設けられており、
台座の弾性片を弾性変形させながら各弾性片の突部を筒状蓋の係合用環状溝部に係合させることによって筒状蓋の台座への装着を可能としたディスクパッケージにおいて、
台座に対して周方向右回し及び左回しのいずれの向きに回転させても台座に装着されている筒状蓋を台座から分離することができるように、台座および筒状蓋を形成したことを特徴とするディスクパッケージ。
【請求項４】
筒状蓋には、係合用環状溝部に係合した突部を係合用環状溝部から抜き出すための複数の抜き出し用溝部が係合用環状溝部と連続して、且つ、弾性片に対応して設けられている、
ことを特徴とする請求項３に記載のディスクパッケージ。
【請求項５】
ディスクを積み重ねて載置するための台座と、台座上に積み重ねられたディスクを覆う筒状蓋とを備え、
台座には係合用環状溝部が設けられ、筒状蓋には前記係合用環状溝部に係合可能な突部を有する複数の弾性片が設けられており、
筒状蓋の弾性片を弾性変形させながら各弾性片の突部を台座の係合用環状溝部に係合させることによって筒状蓋の台座への装着を可能としたディスクパッケージにおいて、
台座に対して周方向右回し及び左回しのいずれの向きに回転させても台座に装着されている筒状蓋を台座から分離することができるように、台座および筒状蓋を形成したことを特徴とするディスクパッケージ。
【請求項６】
台座には、係合用環状溝部に係合した突部を係合用環状溝部から抜き出すための複数の抜き出し用溝部が係合用環状溝部と連続して、且つ、弾性片に対応して設けられている、
ことを特徴とする請求項５に記載のディスクパッケージ。
【請求項７】
ディスクを積み重ねて載置するための台座と、台座上に積み重ねられたディスクを覆う筒状蓋とを備え、台座および筒状蓋の一方に第一の係合部を設け、台座および筒状蓋の他方が弾性変形することにより前記第一の係合部とスナップフィット式に係合可能な第二の係合部を台座および筒状蓋の他方に設け、第一の係合部の周方向長さを第二の係合部の周方向長さよりも長くしたディスクパッケージにおいて、
台座に対して周方向右回し及び左回しのいずれの向きに回転させても台座に装着されている筒状蓋を台座から分離することができるように、台座および筒状蓋を形成したことを特徴とするディスクパッケージ。
【請求項８】
ディスクを積み重ねて載置するための台座と、台座上に積み重ねられたディスクを覆う筒状蓋とを備え、台座に対して周方向に回転させなければ台座に装着されている筒状蓋を台座から分離することができず、台座に対して周方向に回転させることなく、台座に対して中心軸線方向に押圧することのみによって筒状蓋を台座に装着することができるように、台座および筒状蓋を形成したディスクパッケージにおいて、
台座に対して周方向右回し及び左回しのいずれの向きに回転させても台座に装着されている筒状蓋を台座から分離することができるように、台座および筒状蓋を形成したことを特徴とするディスクパッケージ。
【請求項９】
台座を形成する材料よりも柔軟な材料によって筒状蓋を形成したことを特徴とする請求項１、５、８のいずれか一項に記載のディスクパッケージ。
【請求項１０】
台座に装着される筒状蓋を徐々に弾性変形させるためのテーパ部を台座に設けたことを特徴とする請求項１、５、８のいずれか一項に記載のディスクパッケージ。
【請求項１１】
ディスクを積み重ねて載置するための台座と、台座上に積み重ねられたディスクを覆う筒状蓋とを備えるディスクパッケージにおいて、台座に対して周方向右回し及び左回しのいずれの向きに回転させても台座に装着されている筒状蓋を台座から分離することができるように、台座および筒状蓋を形成したことを特徴とするディスクパッケージ。
【請求項１２】
筒状蓋に設けられた突部と係合するための係合用溝部が設けられている係合領域と、前記係合用溝部が設けられていない非係合領域とを台座上に形成し、前記係合領域の両側に前記非係合領域を配置したことを特徴とする請求項１１に記載のディスクパッケージ。
【請求項１３】
ディスクを積み重ねて載置するための台座と、台座上に積み重ねられたディスクを覆う筒状蓋とを備え、筒状蓋に設けられた突部と係合するための係合用溝部が設けられている係合領域と、前記係合用溝部が設けられていない非係合領域とを台座上に形成し、ユーザーが筒状蓋を台座に対して周方向に回転させている時に前記突部が前記係合領域から前記非係合領域に移動する瞬間をユーザーに把握させるための境界領域を前記係合領域と前記非係合領域との間に配置したディスクパッケージにおいて、
台座に対して周方向右回し及び左回しのいずれの向きに回転させても台座に装着されている筒状蓋を台座から分離することができるように、台座および筒状蓋を形成したことを特徴とするディスクパッケージ。
【請求項１４】
前記突部が前記境界領域を通過する瞬間における台座に対する筒状蓋の回転抵抗を変化させる手段を前記境界領域に設けることにより、前記突部が前記係合領域から前記非係合領域に移動する瞬間をユーザーに把握させることを特徴とする請求項１３に記載のディスクパッケージ。
【請求項１５】
前記突部が前記境界領域を通過する瞬間に前記突部と当接する突起を前記境界領域に形成したことを特徴とする請求項１４に記載のディスクパッケージ。
【発明の詳細な説明】
【０００１】
【発明が属する技術分野】
本発明は、ＣＤ，ＤＶＤ等の再生専用ディスクや、ＣＤ−Ｒ，ＤＶＤ−Ｒ等の追記型ディスクや、ＣＤ−ＲＷ，ＤＶＤ−ＲＷ等の書換型ディスクや、これら以外の各種ディスクの包装容器として用いられるディスクパッケージに関する。
【０００２】
【従来の技術】
複数のディスクを一括収納可能なディスクパッケージとして、ディスクを積み重ねて載置するための台座と、台座上に積み重ねられたディスクを覆う筒状蓋と、筒状蓋を台座に固定するためのネジ付きキャップとから成るものが知られている。
【０００３】
前記台座はディスクのセンターホールに挿入可能な支持軸を上面中心に有し、支持軸の上端面にはキャップのネジに対応したネジ穴が設けられている。一方、前記筒状蓋は上面中心にネジ挿通孔を有している。
【０００４】
このディスクパッケージを用いてディスクを包装するときには、支持軸がセンターホールに挿入されるようにディスクを台座上に積み重ねて載置した後、台座上に積み重ねられたディスクに筒状蓋を被せ、キャップのネジを筒状蓋のネジ挿通孔を通じて支持軸のネジ穴にねじ込んで筒状蓋を台座に装着する。
【０００５】
【発明が解決しようとする課題】
前述のディスクパッケージでは、ディスク包装時に、筒状蓋を台座に装着するために面倒なネジ締め作業が必要となることから、ディスク包装作業に係るコストを低減するにも自ずと限界がある。
【０００６】
また従来、ディスクを積み重ねて載置するための台座と、台座上に積み重ねられたディスクを覆う筒状蓋とを備え、台座に対して中心軸線方向に押圧することのみによって筒状蓋を台座に装着することができるように台座および筒状蓋が形成されたディスクパッケージが知られている。この種のディスクパッケージの例としては、例えば実願平２−１２５１７０号（実開平４−８４１８９号）のマイクロフィルムに記載されたものがある。
【０００７】
実願平２−１２５１７０号（実開平４−８４１８９号）のマイクロフィルムの図７に記載されたディスクパッケージでは、台座に対して中心軸線方向に押圧することのみによって筒状蓋を台座に装着することができるものの、そのディスクパッケージには台座と筒状蓋とをロックするロック機構が設けられていないため、台座に装着された筒状蓋がディスクパッケージの輸送時に輸送に伴う振動によって台座から外れてしまうおそれがある。
【０００８】
一方、実願平２−１２５１７０号（実開平４−８４１８９号）のマイクロフィルムの図１〜図６に記載されたディスクパッケージでは、台座に対して周方向に回転させなければ台座に装着されている筒状蓋を台座から分離することができないように台座および筒状蓋が形成されているため、台座に装着された筒状蓋がディスクパッケージの輸送時に輸送に伴う振動によって台座から外れてしまうのを抑制することができる。ところが、実願平２−１２５１７０号（実開平４−８４１８９号）のマイクロフィルムの図１〜図６に記載されたディスクパッケージには台座と筒状蓋とをロックするロック機構が設けられているため、実願平２−１２５１７０号（実開平４−８４１８９号）のマイクロフィルムの図１〜図６に記載されたディスクパッケージでは、台座に対して周方向に回転させなければ筒状蓋を台座に装着することができない。つまり、台座に対して中心軸線方向に押圧することのみによっては筒状蓋を台座に装着することができない。
【０００９】
つまり、実願平２−１２５１７０号（実開平４−８４１８９号）のマイクロフィルムに記載されたディスクパッケージでは、台座に装着された筒状蓋がディスクパッケージの輸送時に輸送に伴う振動によって台座から外れてしまうのを抑制するための構成と、台座に対して中心軸線方向に押圧することのみによって筒状蓋を台座に装着するための構成とが相反する構成であるため、実願平２−１２５１７０号（実開平４−８４１８９号）のマイクロフィルムに記載されたディスクパッケージによっては、台座に装着された筒状蓋がディスクパッケージの輸送時に輸送に伴う振動によって台座から外れてしまうのを抑制すると同時に、台座に対して中心軸線方向に押圧することのみによって筒状蓋を台座に装着することができない。
【００１０】
また、台座に装着された筒状蓋がディスクパッケージの輸送時に輸送に伴う振動によって台座から外れてしまうのを抑制することができる実願平２−１２５１７０号（実開平４−８４１８９号）のマイクロフィルムの図１〜図６に記載されたディスクパッケージでは、台座に対する筒状蓋の周方向位置合わせを正確に行わなければ、台座に対して筒状蓋を装着することができない。
【００１１】
また、実願平２−１２５１７０号（実開平４−８４１８９号）のマイクロフィルムの図１〜図６に記載されたディスクパッケージでは、台座に対して周方向いずれか一方の向きに回転させることによって筒状蓋を台座から分離することができるものの、その逆向きに回転させた場合には筒状蓋を台座から分離することができない。
【００１２】
また従来、ディスクを積み重ねて載置するための台座と、台座上に積み重ねられたディスクを覆う筒状蓋とを備え、台座および筒状蓋のいずれか一方に設けられた突部と、その突部と係合するために台座および筒状蓋の他方に設けられた係合用溝部とを有するディスクパッケージが知られている。この種のディスクパッケージの例としては、例えば特開２０００−１６８８７２号公報の図７及び図８に記載されたものがある。
【００１３】
特開２０００−１６８８７２号公報の図７及び図８に記載されたディスクパッケージでは、周方向に延びている係合用溝部内の一方の端部に突部が突き当たった時に、中心軸線方向に筒状蓋を台座から分離することができる状態であるとユーザーが把握でき、周方向に延びている係合用溝部内の他方の端部に突部が突き当たった時に、中心軸線方向に筒状蓋を台座から分離することができない状態であるとユーザーが把握できるように構成されている。
【００１４】
特開２０００−１６８８７２号公報の図７及び図８には記載されていないが、台座に対して中心軸線方向に押圧することによって筒状蓋を台座に装着する時に突部が係合用溝部内に位置する確率を高くするためには、係合用溝部の周方向長さをできるだけ長くすることが好ましい。係合用溝部を全周にわたって形成することが最も好ましい。ところが、係合用溝部を全周にわたって形成すると、筒状蓋を台座に装着する時に突部が係合用溝部内に位置する確率を高くすることができるものの、特開２０００−１６８８７２号公報の図７及び図８に記載されたディスクパッケージのように周方向に延びている係合用溝部の端部に突部を突き当てることができなくなってしまうため、中心軸線方向に筒状蓋を台座から分離することができる状態であるか、あるいは、中心軸線方向に筒状蓋を台座から分離することができない状態であるかをユーザーが把握できなくなってしまう。また、係合用溝部を全周にわたって形成すると、従来の方法によっては筒状蓋を台座から分離することができなくなってしまう。
【００１５】
本発明は前記事情に鑑みて創作されたもので、その目的とするところは、ディスク包装作業を簡単に行えるディスクパッケージを提供することにある。
【００１６】
更に本発明は、台座に装着された筒状蓋がディスクパッケージの輸送時に輸送に伴う振動によって台座から外れてしまうのを抑制することができると共に、筒状蓋を台座にワンアクションで装着することができ、かつ、実願平２−１２５１７０号（実開平４−８４１８９号）のマイクロフィルムの図１〜図６に記載されたディスクパッケージよりも、筒状蓋の装着時における台座に対する筒状蓋の周方向位置合わせに要する労力を低減することができるディスクパッケージを提供することを目的とする。
【００１７】
更に本発明は、台座に装着された筒状蓋がディスクパッケージの輸送時に輸送に伴う振動によって台座から外れてしまうのを抑制することができると同時に、台座に対して中心軸線方向に押圧することのみによって筒状蓋を台座に装着することができるディスクパッケージを提供することを目的とする。
【００１８】
更に本発明は、台座に対して周方向右回し及び左回しのいずれの向きに回転させても台座に装着されている筒状蓋を台座から分離することができるディスクパッケージを提供することを目的とする。
【００１９】
更に本発明は、係合用溝部を全周にわたって形成した場合であっても、中心軸線方向に筒状蓋を台座から分離することができる状態であるか、あるいは、中心軸線方向に筒状蓋を台座から分離することができない状態であるかをユーザーに把握させることができるディスクパッケージを提供することを目的とする。
【００２０】
【課題を解決するための手段】
請求項１に記載の発明によれば、ディスクを積み重ねて載置するための台座と、台座上に積み重ねられたディスクを覆う筒状蓋とを備え、
台座には複数の係合用溝部が設けられ、筒状蓋には前記係合用溝部に係合可能な複数の突部が係合用溝部に対応して設けられており、
筒状蓋の突部箇所を弾性変形させながら各突部を台座の各係合用溝部に係合させることによって筒状蓋の台座への装着を可能としたディスクパッケージにおいて、
台座に対して周方向右回し及び左回しのいずれの向きに回転させても台座に装着されている筒状蓋を台座から分離することができるように、台座および筒状蓋を形成したことを特徴とするディスクパッケージが提供される。
【００２１】
このディスクパッケージによれば、ディスク包装に際して、ディスクを台座上に積み重ねて載置した後、台座上に積み重ねられたディスクに筒状蓋を被せるときに筒状蓋の突部箇所を弾性変形させながら各突部を台座の各係合用溝部に係合させることによって筒状蓋の台座への装着を行うことが可能であり、筒状蓋を台座に装着するために従来のようなネジ締め作業が不要で、ディスク包装作業を極めて簡単に行うことができる。
【００２２】
請求項３に記載の発明によれば、ディスクを積み重ねて載置するための台座と、台座上に積み重ねられたディスクを覆う筒状蓋とを備え、
台座には突部を有する複数の弾性片が設けられ、筒状蓋には前記弾性片の突部に係合可能な係合用環状溝部が設けられており、
台座の弾性片を弾性変形させながら各弾性片の突部を筒状蓋の係合用環状溝部に係合させることによって筒状蓋の台座への装着を可能としたディスクパッケージにおいて、
台座に対して周方向右回し及び左回しのいずれの向きに回転させても台座に装着されている筒状蓋を台座から分離することができるように、台座および筒状蓋を形成したことを特徴とするディスクパッケージが提供される。
【００２３】
このディスクパッケージによれば、ディスク包装に際して、ディスクを台座上に積み重ねて載置した後、台座上に積み重ねられたディスクに筒状蓋を被せるときに台座の弾性片を弾性変形させながら各弾性片の突部を筒状蓋の係合用環状溝部に係合させることによって筒状蓋の台座への装着を行うことが可能であり、筒状蓋を台座に装着するために従来のようなネジ締め作業が不要で、ディスク包装作業を極めて簡単に行うことができる。
【００２４】
請求項５に記載の発明によれば、ディスクを積み重ねて載置するための台座と、台座上に積み重ねられたディスクを覆う筒状蓋とを備え、
台座には係合用環状溝部が設けられ、筒状蓋には前記係合用環状溝部に係合可能な突部を有する複数の弾性片が設けられており、
筒状蓋の弾性片を弾性変形させながら各弾性片の突部を台座の係合用環状溝部に係合させることによって筒状蓋の台座への装着を可能としたディスクパッケージにおいて、
台座に対して周方向右回し及び左回しのいずれの向きに回転させても台座に装着されている筒状蓋を台座から分離することができるように、台座および筒状蓋を形成したことを特徴とするディスクパッケージが提供される。
【００２５】
このディスクパッケージによれば、ディスク包装に際して、ディスクを台座上に積み重ねて載置した後、台座上に積み重ねられたディスクに筒状蓋を被せるときに筒状蓋の弾性片を弾性変形させながら各弾性片の突部を台座の係合用環状溝部に係合させることによって筒状蓋の台座への装着を行うことが可能であり、筒状蓋を台座に装着するために従来のようなネジ締め作業が不要で、ディスク包装作業を極めて簡単に行うことができる。
【００２６】
請求項７に記載の発明によれば、ディスクを積み重ねて載置するための台座と、台座上に積み重ねられたディスクを覆う筒状蓋とを備え、台座および筒状蓋の一方に第一の係合部を設け、台座および筒状蓋の他方が弾性変形することにより前記第一の係合部とスナップフィット式に係合可能な第二の係合部を台座および筒状蓋の他方に設け、第一の係合部の周方向長さを第二の係合部の周方向長さよりも長くしたディスクパッケージにおいて、
台座に対して周方向右回し及び左回しのいずれの向きに回転させても台座に装着されている筒状蓋を台座から分離することができるように、台座および筒状蓋を形成したことを特徴とするディスクパッケージが提供される。
【００２７】
請求項７に記載のディスクパッケージでは、台座および筒状蓋の一方に第一の係合部が設けられ、第一の係合部と係合可能な第二の係合部が台座および筒状蓋の他方に設けられている。台座に装着された筒状蓋がディスクパッケージの輸送時に輸送に伴う振動によって台座から外れてしまうのを抑制することができる。また、台座および筒状蓋の他方が弾性変形することにより第一の係合部とスナップフィット式に係合可能なように第二の係合部が形成されている。そのため、筒状蓋を台座にワンアクションで装着することができる。更に、第一の係合部の周方向長さが第二の係合部の周方向長さよりも長くされている。そのため、実願平２−１２５１７０号（実開平４−８４１８９号）のマイクロフィルムの図１〜図６に記載されたディスクパッケージよりも、筒状蓋の装着時における台座に対する筒状蓋の周方向位置合わせに要する労力を低減することができる
【００２８】
請求項８に記載の発明によれば、ディスクを積み重ねて載置するための台座と、台座上に積み重ねられたディスクを覆う筒状蓋とを備え、台座に対して周方向に回転させなければ台座に装着されている筒状蓋を台座から分離することができず、台座に対して周方向に回転させることなく、台座に対して中心軸線方向に押圧することのみによって筒状蓋を台座に装着することができるように、台座および筒状蓋を形成したディスクパッケージにおいて、
台座に対して周方向右回し及び左回しのいずれの向きに回転させても台座に装着されている筒状蓋を台座から分離することができるように、台座および筒状蓋を形成したことを特徴とするディスクパッケージが提供される。
【００２９】
請求項８に記載のディスクパッケージでは、台座に対して周方向に回転させなければ台座に装着されている筒状蓋を台座から分離することができず、台座に対して周方向に回転させることなく、台座に対して中心軸線方向に押圧することのみによって筒状蓋を台座に装着することができるように、台座および筒状蓋が形成されている。
【００３０】
詳細には、例えば、複数の係合用溝部が台座に設けられ、それらの係合用溝部に係合可能な複数の突部が係合用溝部に対応して筒状蓋に設けられ、突部と係合用溝部とが係合している時には、台座に対して周方向に回転させなければ台座に装着されている筒状蓋を台座から分離することができず、筒状蓋を台座に装着すべき時には、台座に対して周方向に回転させることなく、台座に対して中心軸線方向に押圧し、筒状蓋の突部箇所を弾性変形させながら各突部を台座の各係合用溝部に係合させることにより、筒状蓋を台座に装着することができるようになっている。
【００３１】
あるいは、突部を有する複数の弾性片が台座に設けられ、それらの弾性片の突部に係合可能な係合用環状溝部が筒状蓋に設けられ、突部と係合用溝部とが係合している時には、台座に対して周方向に回転させなければ台座に装着されている筒状蓋を台座から分離することができず、筒状蓋を台座に装着すべき時には、台座に対して周方向に回転させることなく、台座に対して中心軸線方向に押圧し、台座の弾性片を弾性変形させながら各弾性片の突部を筒状蓋の係合用環状溝部に係合させることにより、筒状蓋を台座に装着することができるようになっている。
【００３２】
あるいは、係合用環状溝部が台座に設けられ、その係合用環状溝部に係合可能な突部を有する複数の弾性片が筒状蓋に設けられ、突部と係合用溝部とが係合している時には、台座に対して周方向に回転させなければ台座に装着されている筒状蓋を台座から分離することができず、筒状蓋を台座に装着すべき時には、台座に対して周方向に回転させることなく、台座に対して中心軸線方向に押圧し、筒状蓋の弾性片を弾性変形させながら各弾性片の突部を台座の係合用環状溝部に係合させることにより、筒状蓋を台座に装着することができるようになっている。
【００３３】
つまり、請求項８に記載のディスクパッケージによれば、台座に装着された筒状蓋がディスクパッケージの輸送時に輸送に伴う振動によって台座から外れてしまうのを抑制することができると同時に、台座に対して中心軸線方向に押圧することのみによって筒状蓋を台座に装着することができる。
【００３４】
請求項９に記載の発明によれば、台座を形成する材料よりも柔軟な材料によって筒状蓋を形成したことを特徴とする請求項１、５、８のいずれか一項に記載のディスクパッケージが提供される。
【００３５】
請求項９に記載のディスクパッケージでは、台座を形成する材料よりも柔軟な材料によって筒状蓋を形成されているため、筒状蓋が比較的硬い材料によって形成されている場合よりも筒状蓋の弾性変形を容易にし、筒状蓋を台座に装着する時の抵抗を小さくすることができる。
【００３６】
請求項１０に記載の発明によれば、台座に装着される筒状蓋を徐々に弾性変形させるためのテーパ部を台座に設けたことを特徴とする請求項１、５、８のいずれか一項に記載のディスクパッケージが提供される。
【００３７】
請求項１０に記載のディスクパッケージでは、台座に装着される筒状蓋を徐々に弾性変形させるためのテーパ部が台座に設けられている。そのため、筒状蓋が弾性変形する時に筒状蓋の装着抵抗が急激に高くなるのを回避することができる。
【００３８】
請求項１１に記載の発明によれば、ディスクを積み重ねて載置するための台座と、台座上に積み重ねられたディスクを覆う筒状蓋とを備えるディスクパッケージにおいて、台座に対して周方向右回し及び左回しのいずれの向きに回転させても台座に装着されている筒状蓋を台座から分離することができるように、台座および筒状蓋を形成したことを特徴とするディスクパッケージが提供される。
【００３９】
請求項１２に記載の発明によれば、筒状蓋に設けられた突部と係合するための係合用溝部が設けられている係合領域と、前記係合用溝部が設けられていない非係合領域とを台座上に形成し、前記係合領域の両側に前記非係合領域を配置したことを特徴とする請求項１１に記載のディスクパッケージが提供される。
【００４０】
請求項１１及び１２に記載のディスクパッケージでは、台座に対して周方向右回し及び左回しのいずれの向きに回転させても台座に装着されている筒状蓋を台座から分離することができるように、台座および筒状蓋が形成されている。詳細には、例えば筒状蓋に設けられた突部と係合するための係合用溝部が設けられている係合領域と、係合用溝部が設けられていない非係合領域とが台座上に形成され、係合領域の両側に非係合領域が配置されている。そのため、筒状蓋を台座に対して周方向右回しに回転させた場合には、係合領域の一方の側に配置された非係合領域まで突部が移動せしめられて、突部と係合用溝部との係合が解除され、筒状蓋を台座から分離できるようになる。また、筒状蓋を台座に対して周方向左回しに回転させた場合には、係合領域の他方の側に配置された非係合領域まで突部が移動せしめられて、突部と係合用溝部との係合が解除され、筒状蓋を台座から分離できるようになる。つまり、請求項１１及び１２に記載のディスクパッケージによれば、台座に対して周方向右回し及び左回しのいずれの向きに回転させても台座に装着されている筒状蓋を台座から分離することができる。
【００４１】
請求項１３に記載の発明によれば、ディスクを積み重ねて載置するための台座と、台座上に積み重ねられたディスクを覆う筒状蓋とを備え、筒状蓋に設けられた突部と係合するための係合用溝部が設けられている係合領域と、前記係合用溝部が設けられていない非係合領域とを台座上に形成し、ユーザーが筒状蓋を台座に対して周方向に回転させている時に前記突部が前記係合領域から前記非係合領域に移動する瞬間をユーザーに把握させるための境界領域を前記係合領域と前記非係合領域との間に配置したディスクパッケージにおいて、
台座に対して周方向右回し及び左回しのいずれの向きに回転させても台座に装着されている筒状蓋を台座から分離することができるように、台座および筒状蓋を形成したことを特徴とするディスクパッケージが提供される。
【００４２】
請求項１４に記載の発明によれば、前記突部が前記境界領域を通過する瞬間における台座に対する筒状蓋の回転抵抗を変化させる手段を前記境界領域に設けることにより、前記突部が前記係合領域から前記非係合領域に移動する瞬間をユーザーに把握させることを特徴とする請求項１３に記載のディスクパッケージが提供される。
【００４３】
請求項１５に記載の発明によれば、前記突部が前記境界領域を通過する瞬間に前記突部と当接する突起を前記境界領域に形成したことを特徴とする請求項１４に記載のディスクパッケージが提供される。
【００４４】
請求項１３〜１５に記載のディスクパッケージでは、筒状蓋に設けられた突部と係合するための係合用溝部が設けられている係合領域と、係合用溝部が設けられていない非係合領域とが台座上に形成され、ユーザーが筒状蓋を台座に対して周方向に回転させている時に突部が係合領域から非係合領域に移動する瞬間をユーザーに把握させるための境界領域が係合領域と非係合領域との間に配置されている。詳細には、突部が境界領域を通過する瞬間における台座に対する筒状蓋の回転抵抗を変化させる手段が境界領域に設けられており、更に詳細には、例えば突部が境界領域を通過する瞬間に突部と当接する突起が境界領域に形成されている。そのため、例えば係合用溝部を全周にわたって形成するのに伴って、特開２０００−１６８８７２号公報の図７及び図８に記載されたディスクパッケージのように周方向に延びている係合用溝部内の端部に突部を突き当てることができなくなった場合であっても、中心軸線方向に筒状蓋を台座から分離することができる状態であるか、あるいは、中心軸線方向に筒状蓋を台座から分離することができない状態であるかをユーザーに把握させることができる。
【００４５】
本発明の前記目的とそれ以外の目的と、構成特徴と、作用効果は、以下の説明と添付図面によって明らかとなる。
【００４６】
【発明の実施の形態】
［本発明に関連する発明の実施形態］
図１〜図５は本発明のディスクパッケージに関連する発明の実施形態を示すもので、図中の符号１は台座、２は筒状蓋、ＤＫは包装対象となるディスクである。
【００４７】
台座１は円盤状を成しており、上面中央には円形の上げ底部１ａが設けられ、上げ底部１ａの中心にはディスクＤＫのセンターホールＤＫａに挿入可能な円柱状の支持軸１ｂが設けられ、外面下部には筒状蓋２の下端が当接可能な段差を構成するための環状張出部１ｃが設けられている。ちなみに、台座１の上面外径はディスクＤＫの外径よりも僅かに大きく、支持軸１ｂの直径はセンターホールＤＫａの口径よりも僅かに小さく、環状張出部１ｃの外径は筒状蓋２の外径とほぼ一致している。また、台座１の外面上部には横長矩形状を成す係合用溝部１ｄが上から見て９０度間隔で４個設けられ、各々の係合用溝部１ｄの右端と連続するように縦長矩形状を成す抜き出し用溝部１ｅが設けられている。さらに、各係合用溝部１ｄの内側面における抜き出し用溝部１ｅの近傍位置には、係合用溝部１ｄに係合した突部２ａが抜き出し用溝部１ｅから抜け出ることを防止するためのストッパーリブ１ｄ１が設けられている。さらに、図２に示すように、台座１の下面には円形凹部１ｆが設けられ、この円形凹部１ｆには２つの補強用環状リブ１ｇが同心状に設けられている。
【００４８】
筒状蓋２は上端が閉じられた円筒状を成し、その内面下部には、前記係合用溝部１ｄに係合可能な矩形状の突部２ａが上から見て９０度間隔で４個設けられている。各突部２ａは係合用溝部１ｄの深さよりも僅かに小さな厚みを有しており、また、各突部２ａの下端にはテーパー面２ａ１が設けられている。ちなみに、筒状蓋２の内径は台座１の上面の外径よりも僅かに小さく、筒状蓋２の外径は環状張出部１ｃの外径とほぼ一致している。
【００４９】
前記の台座１及び筒状蓋２を用いてディスクＤＫを包装するときには、まず、支持軸１ｂがセンターホールＤＫａに挿入されるようにディスクＤＫを台座１上に積み重ねて載置する。台座１の上面にはディスクＤＫのクランピングエリア或いはスタックリングに接触可能な上げ底部１ａが設けられているので、積み重ねて載置された最下位のディスクＤＫの記録面等が接触して傷つくことはない。
【００５０】
次に、台座１上に積み重ねられたディスクＤＫに筒状蓋２を被せる。このときには筒状蓋２の突部２ａを台座１の抜き出し用溝部１ｅに合わせる必要はなく、図４（Ａ）に示すように、むしろ、筒状蓋２の突部２ａを台座１の係合用溝部１ｄに合わせるようにしてから筒状蓋２を被せる作業を行う。筒状蓋２を被せる過程では、図５（Ａ）〜図５（Ｃ）に示すように、各突部２ａがテーパー面２ａ１を利用して台座１の外面上部に乗り上がるように筒状蓋２の突部箇所が外側に弾性変形し、そして、筒状蓋２の突部箇所の復元によって各突部２ａが係合用溝部１ｄに入り込んで係合し、これとほぼ同時に筒状蓋２の下端が環状張出部１ｃに当接する。
【００５１】
つまり、台座１上に積み重ねられたディスクＤＫに筒状蓋２を被せる作業の流れで筒状蓋２を台座１に装着することが可能であり、筒状蓋２を台座１に装着するために従来のようなネジ締め作業が不要で、ディスク包装作業を極めて簡単に行うことができ、ディスク包装作業に係るコスト低減に大きく貢献できる。また、各係合用溝部１ｄの内側面にはストッパーリブ１ｄ１が設けられているので、輸送時等の振動付加によって各突部２ａが抜き出し用溝部１ｅから抜け出ることを防止して、前記の装着状態を維持することができる。
【００５２】
台座１に装着された筒状蓋２を取り外すときには、図４（Ｂ）に示すように、筒状蓋２と台座１を相対的に逆方向に回転させて、各突部２ａを係合用溝部１ｄから抜き出し用溝部１ｅに移行させ、移行後に筒状蓋２と台座１とを離反させて各突部２ａを抜き出し用溝部１ｅから抜き出せばよい。ストッパーリブ１ｄ１による突部２ａの移動抑制力はさほど高くないので前記の移行は支障なく行えるし、取り外した後の筒状蓋２は再度台座１に装着することもできる。
【００５３】
図４に示したように、本発明に関連する発明の実施形態のディスクパッケージでは、台座１に対して周方向に回転させることなく、台座１に対して中心軸線方向に押圧することのみによって筒状蓋２を台座１に装着することができるように、台座１および筒状蓋２が形成されている。また、台座１に対して周方向に回転させなければ台座１に装着されている筒状蓋２を台座１から分離することができないように、台座１および筒状蓋２が形成されている。
【００５４】
尚、前述の本発明に関連する発明の実施形態では、突部２ａとして矩形状のものを例示したが、図６（Ａ）及び図６（Ｂ）に示すような半球状のものを突部２ｂとして用いても前記同様の作用効果を得ることができる。また、突部及び抜き出し用溝部の数は４個に限らず、２以上であれば所期の装着及び取り外しを行える。
【００５５】
［第１実施形態］
図７〜図１１は本発明を適用したディスクパッケージの第１実施形態を示すもので、図中の符号１１は台座、１２は筒状蓋、ＤＫは包装対象となるディスクである。
【００５６】
台座１１は円盤状を成しており、上面中央には円形の上げ底部１１ａが設けられ、上げ底部１１ａの中心にはディスクＤＫのセンターホールＤＫａに挿入可能な円柱状の支持軸１１ｂが設けられている。ちなみに、支持軸１１ｂの直径はセンターホールＤＫａの口径よりも僅かに小さい。また、台座１１の上面周囲には、隙間１１ｃ１を介して円弧状の嵌合壁１１ｃが上から見て９０度間隔で４個設けられている。ちなみに、４つの嵌合壁１１ｃによって囲まれた台座上面領域の内径は、ディスクＤＫの外径よりも僅かに大きい。さらに、各隙間１１ｃ１には嵌合壁１１ｃとほぼ同一の肉厚と高さを有する弾性片１１ｄが設けられ、各弾性片１１ｄの外面上部には矩形状の突部１１ｅが設けられている。各突部１１ｅは後述する係合用環状溝部１２ｂの深さよりも僅かに小さな厚みを有しており、また、各突部１１ｅの上端にはテーパー面１１ｅ１が設けられている。さらに、図８に示すように、台座１１の下面には円形凹部１１ｆが設けられ、この円形凹部１１ｆには２つの補強用環状リブ１１ｇが同心状に設けられている。
【００５７】
筒状蓋１２は上端が閉じられた円筒状を成し、その外面下部には大径部１２ａが設けられている。ちなみに、筒状蓋１２の大径部１２ａよりも上側部分の内径は４つの嵌合壁１１ｃによって囲まれた台座上面領域の内径とほぼ一致し、４つの嵌合壁１１ｃの外径は大径部分１２ａの内径よりも僅かに小さく、大径部１２ａの外径は台座１１の外径とほぼ一致している。また、大径部１２ａの内面には前記突部１１ｅが係合可能な係合用環状溝部１２ｂが内周面に沿って連続して設けられ、その下側には矩形状を成す抜き出し用溝部１２ｃが係合用環状溝部１２ｂと連続するように上から見て９０度間隔で４個設けられている。さらに、係合用環状溝部１２ｂの内側面における抜き出し用溝部１２ｃの近傍位置には、係合用環状溝部１２ｂに係合した突部１１ｅが抜き出し用溝部１２ｃから抜け出ることを防止するためのストッパーリブ１２ｂ１が設けられている。
【００５８】
前記の台座１１及び筒状蓋１２を用いてディスクＤＫを包装するときには、まず、支持軸１１ｂがセンターホールＤＫａに挿入されるようにディスクＤＫを台座１１上（４つの嵌合壁１１ｃによって囲まれた台座上面領域の上）に積み重ねて載置する。台座１１の上面にはディスクＤＫのクランピングエリア或いはスタックリングに接触可能な上げ底部１１ａが設けられているので、積み重ねて載置された最下位のディスクＤＫの記録面等が接触して傷つくことはない。
【００５９】
次に、台座１１上に積み重ねられたディスクＤＫに筒状蓋１２を被せる。このときには筒状蓋１２の抜き出し用溝部１２ｃを台座１１の弾性片１１ｄの突部１１ｅに合わせる必要はなく、図１０（Ａ）に示すように、むしろ、筒状蓋１２の抜き出し用溝部１２ｃを台座１１の弾性片１１ｄの突部１１ｅから外れるように位置合わせしてから筒状蓋１２を被せる作業を行う。筒状蓋１２を被せる過程では、図１１（Ａ）〜図１１（Ｃ）に示すように、各突部１１ｅがテーパー面１１ｅ１を利用して筒状蓋１２の内面下部に乗り上がるように各弾性片１１ｄが内側に弾性変形し、そして、各弾性片１１ｄの復元によって各突部１１ｅが係合用環状溝部１２ｂに入り込んで係合し、これとほぼ同時に筒状蓋１２の下端が台座１１の上面外周に当接する。
【００６０】
つまり、台座１１上に積み重ねられたディスクＤＫに筒状蓋１２を被せる作業の流れで筒状蓋１２を台座１１に装着することが可能であり、筒状蓋１２を台座１１に装着するために従来のようなネジ締め作業が不要で、ディスク包装作業を極めて簡単に行うことができ、ディスク包装作業に係るコスト低減に大きく貢献できる。また、係合用環状溝部１２ｂの内側面にはストッパーリブ１２ｂ１が設けられているので、輸送時等の振動付加によって各突部１１ｅが抜き出し用溝部１２ｃから抜け出ることを防止して、前記の装着状態を維持することができる。
【００６１】
台座１１に装着された筒状蓋１２を取り外すときには、図１０（Ｂ）に示すように、筒状蓋１２と台座１１を相対的に回転させて、各突部１１ｅを係合用環状溝部１２ｂから抜き出し用溝部１２ｃの真上位置に移行させ、移行後に筒状蓋１２と台座１１とを離反させて各突部１１ｅを抜き出し用溝部１２ｃから抜き出せばよい。ストッパーリブ１２ｂ１による突部１１ｅの移動抑制力はさほど高くないので前記の移行は支障なく行えるし、取り外した後の筒状蓋１２は再度台座１１に装着することもできる。
【００６２】
図７に示したように、第１実施形態のディスクパッケージでは、第一の係合部としての溝部１２ｂが、筒状蓋１２に設けられている。また、台座１１の一部（弾性片１１ｄ）が弾性変形することにより溝部１２ｂとスナップフィット式に係合可能な第二の係合部としての突部１１ｅが、台座１１に設けられている。更に、第一の係合部としての溝部１２ｂの周方向長さが、第二の係合部としての突部１１ｅの周方向長さよりも長くされている。
【００６３】
また図１０に示したように、第１実施形態のディスクパッケージでは、台座１１に対して周方向に回転させることなく、台座１１に対して中心軸線方向に押圧することのみによって筒状蓋１２を台座１１に装着することができるように、台座１１および筒状蓋１２が形成されている。また、台座１１に対して周方向に回転させなければ台座１１に装着されている筒状蓋１２を台座１１から分離することができないように、台座１１および筒状蓋１２が形成されている。
【００６４】
更に図７に示したように、第１実施形態のディスクパッケージでは、台座１１に対して周方向右回し及び左回しのいずれの向きに回転させても台座１１に装着された筒状蓋１２を台座１１から分離することができるように、台座１１および筒状蓋１２が形成されている。
【００６５】
尚、前述の第１実施形態では、突部１１ｅとして矩形状のものを例示したが、図１２（Ａ）及び図１２（Ｂ）に示すような半球状のものを突部１１ｈとして用いても前記同様の作用効果を得ることができる。また、突部及び抜き出し用溝部の数は４個に限らず、２以上であれば所期の装着及び取り外しを行える。また、第１実施形態では、突部１１ｅと係合可能な係合部として溝部１２ｂが設けられているが、他の実施形態では、溝部１２ｂの代わりに、突部１１ｅと係合可能な突部（図示せず）を設けることも可能である。
【００６６】
［第２実施形態］
図１３〜図１７は本発明を適用したディスクパッケージの第２実施形態を示すもので、図中の符号２１は台座、２２は筒状蓋、ＤＫは包装対象となるディスクである。
【００６７】
台座２１は円盤状を成しており、上面中央には円形の上げ底部２１ａが設けられ、上げ底部２１ａの中心にはディスクＤＫのセンターホールＤＫａに挿入可能な円柱状の支持軸２１ｂが設けられている。ちなみに、支持軸２１ｂの直径はセンターホールＤＫａの口径よりも僅かに小さい。また、台座２１の上面周囲には円弧状の嵌合壁２１ｃが上から見て９０度間隔で４個設けられ、隣接する嵌合壁２１ｃの間には抜き出し用溝部２１ｄとなる隙間が設けられ、各嵌合壁２１ｃの外面上端にはテーパー面２１ｃ１が設けられている。ちなみに、４つの嵌合壁２１ｃによって囲まれた台座上面領域の内径は、ディスクＤＫの外径よりも僅かに大きい。さらに、各嵌合壁２１ｃの外面下部には後述する突部２２ｃが係合可能な係合用環状溝部２１ｅが外周面に沿って連続して設けられており、各係合用環状溝部２１ｅは抜き出し用溝部２１ｄと連続している。さらに、係合用環状溝部２１ｅの内側面における抜き出し用溝部２１ｄの近傍位置には、係合用環状溝部２１ｅに係合した突部２２ｃが抜き出し用溝部２１ｄから抜け出ることを防止するためのストッパーリブ２２ｅ１が設けられている。
【００６８】
筒状蓋２２は上端が閉じられた円筒状を成し、その外面下部には大径部２２ａが設けられている。ちなみに、筒状蓋２２の大径部２２ａよりも上側部分の内径は４つの嵌合壁２１ｃによって囲まれた台座上面領域の内径とほぼ一致し、４つの嵌合壁２１ｃの外径は大径部分２２ａの内径よりも僅かに小さく、大径部２２ａの外径は台座２１の外径とほぼ一致している。また、大径部２２ａの下部には、一対の平行スリット２２ａ１に挟まれるようにして計４個の弾性片２２ｂが上から見て９０度間隔で設けられ、各弾性片２２ｂの内面下部には矩形状の突部２２ｃが設けられている。各突部２２ｃは前記係合用環状溝部２１ｅの深さよりも僅かに小さな厚みを有しており、また、各突部２２ｃの下端にはテーパー面２２ｃ１が設けられている。さらに、図１４に示すように、台座２１の下面には円形凹部２１ｆが設けられ、この円形凹部２１ｆには２つの補強用環状リブ２１ｇが同心状に設けられている。
【００６９】
前記の台座２１及び筒状蓋２２を用いてディスクＤＫを包装するときには、まず、支持軸２１ｂがセンターホールＤＫａに挿入されるようにディスクＤＫを台座２１上（４つの嵌合壁２１ｃによって囲まれた台座上面領域の上）に積み重ねて載置する。台座２１の上面にはディスクＤＫのクランピングエリア或いはスタックリングに接触可能な上げ底部２１ａが設けられているので、積み重ねて載置された最下位のディスクＤＫの記録面等が接触して傷つくことはない。
【００７０】
次に、台座２１上に積み重ねられたディスクＤＫに筒状蓋２２を被せる。このときには筒状蓋２２の弾性片２２ｂの突部２２ｃを台座２１の抜き出し用溝部２１ｄに合わせる必要はなく、図１６（Ａ）に示すように、むしろ、筒状蓋２２の弾性片２２ｂの突部２２ｃを台座２１の抜き出し用溝部２１ｄから外れるように位置合わせしてから筒状蓋２２を被せる作業を行う。筒状蓋２２を被せる過程では、図１７（Ａ）〜図１７（Ｃ）に示すように、各突部２２ｃがテーパー面２２ｃ１及び２１ｃ１を利用して台座２１の嵌合壁２１ｃの外面上部に乗り上がるように各弾性片２２ｂが外側に弾性変形し、そして、各弾性片２２ｂの復元によって各突部２２ｃが係合用環状溝部２１ｅに入り込んで係合し、これとほぼ同時に筒状蓋２２の下端が台座２１の上面外周に当接する。
【００７１】
つまり、台座２１上に積み重ねられたディスクＤＫに筒状蓋２２を被せる作業の流れで筒状蓋２２を台座２１に装着することが可能であり、筒状蓋２２を台座２１に装着するために従来のようなネジ締め作業が不要で、ディスク包装作業を極めて簡単に行うことができ、ディスク包装作業に係るコスト低減に大きく貢献できる。また、係合用環状溝部２１ｅの内側面にはストッパーリブ２１ｅ１が設けられているので、輸送時等の振動付加によって各突部２２ｃが抜き出し用溝部２１ｄから抜け出ること防止して、前記の装着状態を維持することができる。
【００７２】
台座２１に装着された筒状蓋２２を取り外すときには、図１６（Ｂ）に示すように、筒状蓋２２と台座２１を相対的に回転させて、各突部２２ｃを係合用環状溝部２１ｅから抜き出し用溝部２１ｄに移行させ、移行後に筒状蓋２２と台座２１とを離反させて各突部２２ｃを抜き出し用溝部２１ｄから抜き出せばよい。ストッパーリブ２１ｅ１による突部２２ｃの移動抑制力はさほど高くないので前記の移行は支障なく行えるし、取り外した後の筒状蓋２２は再度台座２１に装着することもできる。
【００７３】
図１３に示したように、第２実施形態のディスクパッケージでは、第一の係合部としての溝部２１ｅが、台座２１に設けられている。また、筒状蓋２２の一部（弾性片２２ｂ）が弾性変形することにより溝部２１ｅとスナップフィット式に係合可能な第二の係合部としての突部２２ｃが、筒状蓋２２に設けられている。更に、第一の係合部としての溝部２１ｅの周方向長さが、第二の係合部としての突部２２ｃの周方向長さよりも長くされている。
【００７４】
更に図１６に示したように、第２実施形態のディスクパッケージでは、台座２１に対して周方向に回転させることなく、台座２１に対して中心軸線方向に押圧することのみによって筒状蓋２２を台座２１に装着することができるように、台座２１および筒状蓋２２が形成されている。また、台座２１に対して周方向に回転させなければ台座２１に装着されている筒状蓋２２を台座２１から分離することができないように、台座２１および筒状蓋２２が形成されている。
【００７５】
また図１３に示したように、第２実施形態のディスクパッケージでは、台座２１に対して周方向右回し及び左回しのいずれの向きに回転させても台座２１に装着された筒状蓋２２を台座２１から分離することができるように、台座２１および筒状蓋２２が形成されている。
【００７６】
尚、前述の第２実施形態では、突部２２ｃとして矩形状のものを例示したが、図１８（Ａ）及び図１８（Ｂ）に示すような半球状のものを突部２２ｄとして用いても前記同様の作用効果を得ることができる。また、突部及び抜き出し用溝部の数は４個に限らず、２以上であれば所期の装着及び取り外しを行える。また、第２実施形態では、突部２２ｃと係合可能な係合部として溝部２１ｅが設けられているが、他の実施形態では、溝部２１ｅの代わりに、突部２２ｃと係合可能な突部（図示せず）を設けることも可能である。
【００７７】
［第３実施形態］
以下、本発明のディスクパッケージの第３実施形態について説明する。図１９は第３実施形態のディスクパッケージの分解斜視図である。図１９において、３２は筒状蓋、３３ａ〜３３ｄは筒状蓋３２に設けられた突部、ＤＫはディスク、ＤＫａはディスクのセンターホール、ＣＬはディスクパッケージの中心軸線である。３４は台座、３５ａ〜３５ｄ（３５ｃは図示せず）は筒状蓋３２に設けられた突部３３ａ〜３３ｄと係合するために台座３４に設けられた係合用溝部である。３６ａ〜３６ｄは係合用溝部３５ａ〜３５ｄが設けられている係合領域、３７ａ〜３７ｄは係合用溝部３５ａ〜３５ｄが設けられていない非係合領域である。図１９に示すように、係合用溝部３５ａが設けられている係合領域３６ａの両側には非係合領域３７ｄと非係合領域３７ａとが配置され、係合用溝部３５ｂが設けられている係合領域３６ｂの両側には非係合領域３７ａと非係合領域３７ｂとが配置され、係合用溝部３５ｃ（図示せず）が設けられている係合領域３６ｃの両側には非係合領域３７ｂと非係合領域３７ｃとが配置され、係合用溝部３５ｄが設けられている係合領域３６ｄの両側には非係合領域３７ｃと非係合領域３７ｄとが配置されている。
【００７８】
図２０は図１９に示した台座の側面図である。図２０において、３８ａは係合領域３６ａと非係合領域３７ａとの間に配置された境界領域、３８ａ’は係合領域３６ｂと非係合領域３７ａとの間に配置された境界領域、３８ｄは係合領域３６ｄと非係合領域３７ｄとの間に配置された境界領域、３８ｄ’は係合領域３６ａと非係合領域３７ｄとの間に配置された境界領域である。３９ａは境界領域３８ａに形成された突起、３９ａ’は境界領域３８ａ’に形成された突起、３９ｄは境界領域３８ｄに形成された突起、３９ｄ’は境界領域３８ｄ’に形成された突起である。
【００７９】
図示しないが、境界領域３８ａ，３８ａ’，３８ｄ，３８ｄ’と同様に、係合領域３６ｂと非係合領域３７ｂとの間には境界領域３８ｂが配置され、係合領域３６ｃと非係合領域３７ｂとの間には境界領域３８ｂ’が配置され、係合領域３６ｃと非係合領域３７ｃとの間には境界領域３８ｃが配置され、係合領域３６ｄと非係合領域３７ｃとの間には境界領域３８ｃ’が配置されている。また、図示しないが、突起３９ａ，３９ａ’，３９ｄ，３９ｄ’と同様に、境界領域３８ｂには突起３９ｂが形成され、境界領域３８ｂ’には突起３９ｂ’が形成され、境界領域３８ｃには突起３９ｃが形成され、境界領域３８ｃ’には突起３９ｃ’が形成されている。
【００８０】
図２１は図１９に示した筒状蓋の断面図、図２２〜図２４は図１９に示した突部３３ａ、係合用溝部３５ａなどの拡大図、図２５は図２０に示した突起３９ａ，３９ａ’，３９ｄ，３９ｄ’などの断面図、図２６は突起３９ａ，３９ａ’などの斜視図である。図２４において、４０ａは係合用溝部３５ａに対応して台座３４に設けられたテーパ部である。図示しないが、テーパ部４０ａと同様に、係合用溝部３５ｂに対応してテーパ部４０ｂが設けられ、係合用溝部３５ｃに対応してテーパ部４０ｃが設けられ、係合用溝部３５ｄに対応してテーパ部４０ｄが設けられている。
【００８１】
図１９に示すように、第３実施形態のディスクパッケージでは、第一の係合部としての溝部３５ａ〜３５ｄが、台座３４に設けられている。また、筒状蓋３２が弾性変形することにより溝部３５ａ〜３５ｄとスナップフィット式に係合可能な第二の係合部としての突部３３ａ〜３３ｄが、筒状蓋３２に設けられている。更に、第一の係合部としての溝部３５ａ〜３５ｄの周方向長さが、第二の係合部としての突部３３ａ〜３３ｄの周方向長さよりも長くされている。第３実施形態では、突部３３ａ〜３３ｄと係合可能な係合部として溝部３５ａ〜３５ｄが設けられているが、他の実施形態では、溝部３５ａ〜３５ｄの代わりに、突部３３ａ〜３３ｄと係合可能な突部（図示せず）を設けることも可能である。
【００８２】
第３実施形態の説明に戻り、図１９、図２３及び図２４に示すように、第３実施形態のディスクパッケージでは、台座３４に対して周方向に回転させることなく、台座３４に対して中心軸線（ＣＬ）方向に押圧することのみによって筒状蓋３２を台座３４に装着することができるように、台座３４および筒状蓋３２が形成されている。つまり、筒状蓋３２が台座３４に装着せしめられる時、筒状蓋３２は台座３４に対して中心軸線方向に押圧されればよく、図２３に示すように、突起３３ａは、台座３４に対して周方向に回転せしめられることなく、３３ａ’の位置まで中心軸線方向に移動せしめられる。また、図２４（ｂ）に詳細に示すように、筒状蓋３２が台座３４に装着せしめられる時、筒状蓋３２が弾性変形せしめられながら、突部３３ａ（〜３３ｄ）が係合用溝部３５ａ（〜３５ｄ）に係合せしめられる。
【００８３】
第３実施形態のディスクパッケージでは、筒状蓋３２の弾性変形を容易にし、筒状蓋３２の装着抵抗を小さくするために、台座３４を形成する材料よりも柔軟な材料（例えばＰＰ）によって筒状蓋３２が形成されている。また、筒状蓋３２が弾性変形する時に筒状蓋３２の装着抵抗が急激に高くなるのを回避するために、台座３４に装着される筒状蓋３２を徐々に弾性変形させるためのテーパ部４０ａ（〜４０ｄ）が設けられている。
【００８４】
また図１９、図２３及び図２４に示すように、第３実施形態のディスクパッケージでは、台座３４に対して周方向に回転させなければ台座３４に装着されている筒状蓋３２を台座３４から分離することができないように、台座３４および筒状蓋３２が形成されている。つまり、筒状蓋３２が台座３４から分離せしめられる時、筒状蓋３２は、まず、台座３４に対して周方向に回転せしめられ、次いで、中心軸線方向に台座３４から分離せしめられる。図２３に示すように、筒状蓋３２が台座３４から分離せしめられる時、突起３３ａ’は、まず、係合用溝部３５ａから非係合領域３７ａ（図１９参照）まで周方向に移動せしめられ、次いで、３３ａ”の位置まで中心軸線方向に移動せしめられる。
【００８５】
更に図１９に示すように、第３実施形態のディスクパッケージでは、台座３４に対して周方向右回し及び左回しのいずれの向きに回転させても台座３４に装着された筒状蓋３２を台座３４から分離することができるように、台座３４および筒状蓋３２が形成されている。つまり、突部３３ａ〜３３ｄと係合するための係合用溝部３５ａ〜３５ｄが設けられている係合領域３６ａ〜３６ｄの両側に非係合領域３７ａ〜３７ｄが配置されている。そのため、台座３４に装着された筒状蓋３２が台座３４に対して左回しに回転せしめられる場合には、係合用溝部３５ａと係合している突部３３ａが非係合領域３７ａまで移動せしめられて、係合用溝部３５ａと突部３３ａとの係合が解除され、筒状蓋３２を台座３４から分離することができる。また、台座３４に装着された筒状蓋３２が台座３４に対して右回しに回転せしめられる場合には、係合用溝部３５ａと係合している突部３３ａが非係合領域３７ｄまで移動せしめられて、係合用溝部３５ａと突部３３ａとの係合が解除され、筒状蓋３２を台座３４から分離することができる。つまり、第３実施形態のディスクパッケージによれば、台座３４に対して周方向右回し及び左回しのいずれの向きに回転させても、台座３４に装着された筒状蓋３２を台座３４から分離することができる。そのため、右利きのユーザーだけでなく、左利きのユーザーも筒状蓋３２を台座３４から容易に分離することができる。
【００８６】
更に図１９、図２０及び図２５に示すように、第３実施形態のディスクパッケージでは、ユーザーが筒状蓋３２を台座３４に対して周方向に回転させている時に突部３３ａ〜３３ｄが係合領域３６ａ〜３６ｄから非係合領域３７ａ〜３７ｄに移動する瞬間をユーザーに把握させるための境界領域３９ａ，３９ａ’，３９ｂ，３９ｂ’，３９ｃ，３９ｃ’，３９ｄ，３９ｄ’が係合領域３６ａ〜３６ｄと非係合領域３７ａ〜３７ｄとの間に配置されている。詳細には、突部３３ａ〜３３ｄが境界領域３９ａ，３９ａ’，３９ｂ，３９ｂ’，３９ｃ，３９ｃ’，３９ｄ，３９ｄ’を通過する瞬間における台座３４に対する筒状蓋３２の回転抵抗を変化させる手段が境界領域３９ａ，３９ａ’，３９ｂ，３９ｂ’，３９ｃ，３９ｃ’，３９ｄ，３９ｄ’に設けられている。更に詳細には、突部３３ａ〜３３ｄが境界領域３９ａ，３９ａ’，３９ｂ，３９ｂ’，３９ｃ，３９ｃ’，３９ｄ，３９ｄ’を通過する瞬間に突部３３ａ〜３３ｄと当接することによってユーザーにクリック感を与えるための突起３８ａ，３８ａ’，３８ｂ，３８ｂ’，３８ｃ，３８ｃ’，３８ｄ，３８ｄ’が境界領域３９ａ，３９ａ’，３９ｂ，３９ｂ’，３９ｃ，３９ｃ’，３９ｄ，３９ｄ’に形成されている。
【００８７】
そのため、台座３４に装着された筒状蓋３２が台座３４に対して左回しに回転せしめられる場合には、係合用溝部３５ａと係合している突部３３ａが係合領域３６ａから非係合領域３７ａに移動する瞬間に、突部３３ａが突起３９ａと当接する（突部３３ｂ〜３３ｄは突起３９ｂ〜３９ｄと当接する）。その結果、筒状蓋３２の回転抵抗が僅かに増加し、ユーザーは突部３３ａが非係合領域３７ａに移動することを把握することができる。また、台座３４に装着された筒状蓋３２が台座３４に対して右回しに回転せしめられる場合には、係合用溝部３５ａと係合している突部３３ａが係合領域３６ａから非係合領域３７ｄに移動する瞬間に、突部３３ａが突起３９ｄ’と当接する（突部３３ｂ，３３ｃ，３３ｄは突起３９ａ’，３９ｂ’，３９ｃ’と当接する）。その結果、筒状蓋３２の回転抵抗が僅かに増加し、ユーザーは突部３３ａが非係合領域３７ｄに移動することを把握することができる。
【００８８】
【発明の効果】
請求項１〜６に記載の発明によれば、筒状蓋を台座に装着するために従来のようなネジ締め作業は不要で、ディスク包装作業を極めて簡単に行うことができ、ディスク包装作業に係るコスト低減に大きく貢献できる。
【００８９】
請求項７に記載の発明によれば、台座に装着された筒状蓋がディスクパッケージの輸送時に輸送に伴う振動によって台座から外れてしまうのを抑制することができると共に、筒状蓋を台座にワンアクションで装着することができ、かつ、実願平２−１２５１７０号（実開平４−８４１８９号）のマイクロフィルムの図１〜図６に記載されたディスクパッケージよりも、筒状蓋の装着時における台座に対する筒状蓋の周方向位置合わせに要する労力を低減することができる。
【００９０】
請求項８に記載の発明によれば、台座に装着された筒状蓋がディスクパッケージの輸送時に輸送に伴う振動によって台座から外れてしまうのを抑制することができると同時に、台座に対して中心軸線方向に押圧することのみによって筒状蓋を台座に装着することができる。
【００９１】
請求項９に記載の発明によれば、筒状蓋が比較的硬い材料によって形成されている場合よりも筒状蓋の弾性変形を容易にし、筒状蓋を台座に装着する時の抵抗を小さくすることができる。
【００９２】
請求項１０に記載の発明によれば、筒状蓋が弾性変形する時に筒状蓋の装着抵抗が急激に高くなるのを回避することができる。
【００９３】
請求項１１及び１２に記載の発明によれば、台座に対して周方向右回し及び左回しのいずれの向きに回転させても台座に装着されている筒状蓋を台座から分離することができる。
【００９４】
請求項１３〜１５に記載の発明によれば、例えば係合用溝部を全周にわたって形成するのに伴って、特開２０００−１６８８７２号公報の図７及び図８に記載されたディスクパッケージのように周方向に延びている係合用溝部内の端部に突部を突き当てることができなくなった場合であっても、中心軸線方向に筒状蓋を台座から分離することができる状態であるか、あるいは、中心軸線方向に筒状蓋を台座から分離することができない状態であるかをユーザーに把握させることができる。
【図面の簡単な説明】
【図１】  本発明に関連する発明の実施形態を示す斜視図
【図２】図１に示した台座の下面図
【図３】図１に示した台座の溝部の拡大図と、図１に示した筒状蓋の突部の拡大図
【図４】図１に示したディスクパッケージによってディスク包装を行う場合の説明図
【図５】図１に示したディスクパッケージによってディスク包装を行う場合の説明図
【図６】  本発明に関連する発明の実施形態における突部の変形例を示す図
【図７】  本発明を適用したディスクパッケージの第１実施形態を示す斜視図
【図８】図７に示した台座の下面図
【図９】図７に示した台座の突部の拡大図と、図７に示した筒状蓋の溝部の拡大図
【図１０】図７に示したディスクパッケージによってディスク包装を行う場合の説明図
【図１１】図７に示したディスクパッケージによってディスク包装を行う場合の説明図
【図１２】  第１実施形態における突部の変形例を示す図
【図１３】  本発明を適用したディスクパッケージの第２実施形態を示す斜視図
【図１４】図１３に示した台座の下面図
【図１５】図１３に示した台座の溝部の拡大図と、図１３に示した筒状蓋の突部の拡大図
【図１６】図１３に示したディスクパッケージによってディスク包装を行う場合の説明図
【図１７】図１３に示したディスクパッケージによってディスク包装を行う場合の説明図
【図１８】  第２実施形態における突部の変形例を示す図
【図１９】  第３実施形態のディスクパッケージの分解斜視図
【図２０】図１９に示した台座の側面図
【図２１】図１９に示した筒状蓋の断面図
【図２２】図１９に示した突部３３ａ、係合用溝部３５ａなどの拡大図
【図２３】図１９に示した突部３３ａ、係合用溝部３５ａなどの拡大図
【図２４】図１９に示した突部３３ａ、係合用溝部３５ａなどの拡大図
【図２５】図２０に示した突起３９ａ，３９ａ’，３９ｄ，３９ｄ’などの断面図
【図２６】突起３９ａ，３９ａ’などの斜視図
【符号の説明】
１…台座、１ｄ…係合用溝部、１ｅ…抜き出し用溝部、２…筒状蓋、２ａ，２ｂ…突部、１１…台座、１１ｄ…弾性片、１１ｅ，１１ｈ…突部、１２…筒状蓋、１２ｂ…係合用環状溝部、１２ｄ…抜き出し用溝部、２１…台座、２１ｄ…抜き出し用溝部、２１ｅ…係合用溝部、２２…筒状蓋、２２ｂ…弾性片、２２ｃ，２２ｄ…突部。
【図１】
0003995981.tif 000002
【図２】
0003995981.tif 000003
【図３】
0003995981.tif 000004
【図４】
0003995981.tif 000005
【図５】
0003995981.tif 000006
【図６】
0003995981.tif 000007
【図７】
0003995981.tif 000008
【図８】
0003995981.tif 000009
【図９】
0003995981.tif 000010
【図１０】
0003995981.tif 000011
【図１１】
0003995981.tif 000012
【図１２】
0003995981.tif 000013
【図１３】
0003995981.tif 000014
【図１４】
0003995981.tif 000015
【図１５】
0003995981.tif 000016
【図１６】
0003995981.tif 000017
【図１７】
0003995981.tif 000018
【図１８】
0003995981.tif 000019
【図１９】
0003995981.tif 000020
【図２０】
0003995981.tif 000021
【図２１】
0003995981.tif 000022
【図２２】
0003995981.tif 000023
【図２３】
0003995981.tif 000024
【図２４】
0003995981.tif 000025
【図２５】
0003995981.tif 000026
【図２６】
0003995981.tif 000027